(57)【要約】【課題】磁気装置の放電時間を計測するためのより高い効率とより簡単な設計とを備える検知回路を提供する。【解決手段】磁気装置の消磁時間を検知するための検知回路が提供される。入力回路が磁気装置に連結されて、磁気装置の磁化電圧および消磁電圧を検知する。制御回路が入力回路に連結されて、磁化電圧、消磁電圧および磁化時間に対応する消磁時間信号を発生させる。磁化時間が磁化電圧の使用可能期間と相関する。磁気装置の消磁時間が消磁時間信号により表される。【選択図】図３
2009526515.tif 000002
【特許請求の範囲】
【請求項１】
磁気装置の放電時間を検知するための検知回路であって、
前記磁気装置に連結されて、前記磁気装置の第１電圧および第２電圧を検知し、前記第１電圧および前記第２電圧に応答して、第１信号、第２信号および充電時間信号を発生させるものであり、そのうち、前記第１電圧が前記磁気装置に印加されて前記磁気装置を充電し、前記第２電圧が前記磁気装置の放電期間に前記磁気装置に印加される、入力回路と、
前記入力回路に連結されて、前記第１信号、前記第２信号および前記充電時間信号に対応する放電時間信号を発生させる、制御回路とを含むものであり、
そのうち、前記第１信号が前記第１電圧に相関し、前記第２信号が前記第２電圧に相関し、前記充電時間信号が前記第１電圧の使用可能期間と相関するとともに、前記放電時間信号の期間が前記磁気装置の放電期間を表すものである、磁気装置の放電時間を検知するための検知回路。
【請求項２】
前記放電時間信号の期間が前記第１電圧の増大に対応して増大し、前記放電時間信号の期間が前記充電時間信号の期間の減少に対応して減少し、前記放電時間信号の期間が前記第２電圧の増大に対応して減少するものである請求項１記載の磁気装置の放電時間を検知するための検知回路。
【請求項３】
前記入力回路が、
第１電流を発生させるために、前記第１電圧を検知するよう連結される第１抵抗デバイスと、
前記第１抵抗デバイスに連結されて、前記第１信号および前記第１電流に対応する前記充電時間信号を発生させる第１回路と、
前記第２電圧を検知するために連結されて第２信号を作り出す第２回路とを含むものであり、
そのうち、前記第２信号が第２電流に対応して発生されるものである、請求項１記載の磁気装置の放電時間を検知するための検知回路。
【請求項４】
前記制御回路が、
キャパシターと、
前記第１信号および前記キャパシター間に連結される第１スイッチと、
前記第２信号および前記キャパシター間に連結される第２スイッチと、
前記キャパシターに連結されて、ひとたび前記キャパシターの電圧が参考電圧よりも高くなった場合にスイッチ信号を発生させる比較器と、
前記スイッチ信号および充電時間信号の使用禁止に対応して前記放電時間信号を発生させるよう連結される出力回路とを含むものであり、
そのうち、前記第１スイッチが前記充電時間信号の使用可能に対応してオンとなり、前記第２スイッチが前記放電時間信号の使用可能に対応してオンとなり、前記第１信号が前記キャパシターを充電するために使用され、前記第２信号が前記キャパシターを放電するために使用されるものである、請求項１記載の磁気装置の放電時間を検知するための検知回路。
【請求項５】
磁気装置の消磁時間を検知する検知回路であって、
前記磁気装置に連結されて、前記磁気装置の磁化電圧および消磁電圧を検知する入力回路と、
前記入力回路に連結されて、前記磁化電圧、前記消磁電圧および磁化時間に対応する消磁時間信号を発生させるものであり、そのうち、前記磁化時間が前記磁化電圧の使用可能と相関するとともに、前記消磁時間信号が前記磁気装置の消磁時間を表す、制御回路と
を含む磁気装置の消磁時間を検知する検知回路。
【請求項６】
前記消磁時間信号の期間が前記磁化電圧の増大に対応して増大し、前記消磁時間信号の期間が前記磁化時間の減少に対応して減少するとともに、前記消磁時間信号の期間が前記消磁電圧の増大に対応して減少する請求項５記載の磁気装置の消磁時間を検知する検知回路。
【請求項７】
前記入力回路が、
前記磁化電圧に連結されて、前記磁化電圧に対応する第１信号および磁化時間信号を発生させるものであり、そのうち、前記磁化時間信号が前記磁化時間を表すものである、第１回路と、
前記消磁電圧に連結されて、第２信号を作り出す第２回路と
を含む請求項５記載の磁気装置の消磁時間を検知する検知回路。
【請求項８】
前記制御回路が、
キャパシターと、
第１信号および前記キャパシター間に連結される第１スイッチと、
第２信号および前記キャパシター間に連結される第２スイッチと、
前記キャパシターに連結されて、ひとたび前記キャパシターの電圧が参考電圧よりも高くなった場合にスイッチ信号を発生させる比較器と、
前記スイッチ信号および磁化時間信号の使用禁止に対応して前記消磁時間信号を発生させる出力回路とを含むものであり、
そのうち、前記第１スイッチが前記磁化時間信号の使用可能に対応して使用可能となり、前記第２スイッチが前記消磁時間信号の使用可能に対応して使用可能となり、前記第１信号が前記キャパシターを充電するために使用され、前記第２信号が前記キャパシターを放電するために使用されるものである、請求項５記載の磁気装置の消磁時間を検知する検知回路。
【請求項９】
磁気装置の消磁時間を検知するための設備であって、
電圧源と、
前記電圧源に接続された第１スイッチと、
第１ノードおよび第２ノードを備える一次巻線ならびに二次巻線を有する変圧器とを含むものであり、
そのうち、前記一次巻線が前記第１スイッチに接続され、
前記変圧器の前記消磁時間を検知するための検知回路が、第１電圧ノード、第２電圧ノードおよび接地ノードを有するものであり、そのうち、前記第１電圧ノードが前記二次巻線の前記第１ノードに接続され、前記第２電圧ノードが前記二次巻線の前記第２ノードに接続され、前記接地ノードがグラウンドに接続されるとともに、前記検知回路が更に、
入力回路と、
前記入力回路に接続される制御回路と、
前記二次巻線の前記第１ノードおよび前記グラウンドに接続されるダイオードと、
前記二次巻線の前記第２ノードおよび前記グラウンドに接続される出力負荷と
を含む、磁気装置の消磁時間を検知するための設備。
【請求項１０】
前記入力回路が放電時間信号を獲得するために第１電圧および第２電圧を受信するよう連結されて、前記第１電圧および前記第２電圧に対応する充電時間信号、第１信号および第２信号を発生させるものである請求項９記載の設備。
【請求項１１】
前記制御回路が前記充電時間信号、前記第１信号および前記第２信号を受信するよう連結されて、前記充電時間信号、前記第１信号および前記第２信号に対応する充電時間信号、第１信号および第２信号を発生させるものである請求項１０記載の設備。
【請求項１２】
磁気装置の消磁時間を検知するための設備であって、
検知回路であり、第１電圧ノード、第２電圧ノードおよび接地ノードを有し、そのうち、前記第１電圧ノードが前記磁気装置の第１ノードに接続され、前記第２電圧ノードが前記磁気装置の第２ノードに接続され、前記接地ノードがグラウンドに接続される検知回路を含むとともに、前記検知回路が更に入力回路および制御回路と、
前記磁気装置の前記第２ノードならびに前記グラウンドに接続される出力回路とを含むものである磁気装置の消磁時間を検知するための設備。
【請求項１３】
前記磁気装置の前記第１ノードが電圧により充電され、前記磁気装置の前記第２ノードが電圧により放電されるものである請求項１２記載の設備。
【請求項１４】
前記入力回路が第１電圧および第２電圧を受信するよう連結されて、前記第１電圧および前記第２電圧に対応する充電時間信号、第１信号および第２信号を発生させる請求項１２記載の設備。
【請求項１５】
前記制御回路が前記充電時間信号、前記第１信号および前記第２信号を受信するように連結されて、前記充電時間信号、前記第１信号および前記第２信号に対応する放電時間信号を発生させるものである請求項１４記載の設備。
【発明の詳細な説明】
【技術分野】
【０００１】
この発明は、磁気装置に関し、特に、磁気装置の制御に関する。
【背景技術】
【０００２】
磁気装置は、エネルギーの蓄積・エネルギーの変換および／または信号濾過に提供されるため電力変換において広く使用されている。磁気装置へ蓄積されたエネルギーは、次回の充電（磁化）前に放電（消磁）されなければならず、さもなければ磁気飽和が発生する。充電電流ＩＣは、電圧ＶＣが磁気装置へ供給される時、磁気装置へ流れる。放電電流ＩＤは、磁気装置上の電圧ＶＤに従って磁気装置から流れ出す。ＩＣおよびＩＤは、以下の等式で表される。
【０００３】
【数１】
2009526515.tif 000003
【０００４】
【数２】
2009526515.tif 000004
【０００５】
式中、Ｌは磁気装置のインダクタンス、ＴＣＨＡＲＧＥは充電時間、ＴＤＩＳＣＨＡＲＧＥは放電時間である。
【発明の開示】
【発明が解決しようとする課題】
【０００６】
充電電流ＩＣおよび放電電流ＩＤが図１と図２とに示されている。図１は、非連続電流モード（discontinuous current mode = DCM）操作の磁気装置の電流を示しており、磁気装置のエネルギーが次の充電前に完全に放電される。図２は、連続電流モード（continuous current mode = CCM）操作を示しており、次の充電サイクルがスタートされる前に磁気装置がなおエネルギーを保持している。ＤＣＭとＣＣＭとは、ヤン（Yang）の米国特許5,903,452による"Adaptive slope compensator for current mode power converters"中に記述されているように、異なる運転（different behavior）を引き起こす。従って、磁気装置の放電時間計測は、電力変換器（power converter）の制御を最適化するために重要な要因となる。放電時間を検知するための通常のアプローチは、電流検出装置を使用して磁気装置の切り換え電流を検出することによるものである。しかし、切り換え電流を検出することは、電力損失を発生させるとともに、検知回路の複雑性を増大させる。
【０００７】
そこで、この発明の目的は、磁気装置の放電時間を計測するためのより高い効率とより簡単な設計とを備える検知回路を提供することにある。
【課題を解決するための手段】
【０００８】
この発明は、磁気装置の放電期間を検知する方法および設備を提供する。それが磁気装置に連結された入力回路を含み、磁気装置の第１電圧および第２電圧を検知する。入力回路が更に第１電圧および第２電圧に対応する第１信号、第２信号および充電時間信号を発生させる。第１電圧は、磁気装置を充電するために磁気装置に印加される電圧である。第２電圧は、磁気装置の放電期間の磁気装置上の電圧である。制御回路は、入力回路に連結されて、第１信号、第２信号および充電時間信号に対応する放電時間信号を発生させる。第１信号が第１電圧と相関する。第２信号が第２電圧と相関する。充電時間信号が第１電圧の使用可能期間と相関する。放電時間信号の期間が磁気装置の放電期間を表す。
【発明の効果】
【０００９】
この発明の検知回路は、電力損失を発生させない高い効率性と簡単な回路構成を備える。
【発明を実施するための最良の形態】
【００１０】
以下、この発明を実施するための最良の形態を図面に基づいて説明する。
図３は、この発明の好適な実施形態にかかる磁気装置の放電時間を検知するために第１電圧ノードＶ１、第２電圧ノードＶ２および接地ノードＧＤＮを備えた検知回路１００を有する電力変換器（power converter）を示す回路図である。検知回路１００が変圧器（transformer）１０の複数の電圧を検知するために連結される。電圧源ＶＥが変圧器１０の一次巻線（primary winding）に印加された時、ダイオード２０がリバースバイアスであり（reverse biased）、変圧器１０が充電される。電圧ＶＩＮが第１ノードＮ１と第２ノードＮ２を備えた二次巻線（secondary winding）側に電圧源ＶＥに比例して作り出される。また、検知回路１００の第１電圧ノードＶ１が変圧器１０の二次巻線のような磁気装置の第１ノードＮ１に接続されるとともに、検知回路１００の第２電圧ノードＶ２が磁気装置の第２ノードＮ２に接続される。ひとたびスイッチ１５がオフとされれば放電電流ＩＭが作り出されてダイオード２０をオンにする。同時に、放電電流ＩＭが負荷３０中を流れる時、電圧ＶＯが変圧器１０の二次巻線に加えられる。ＣＣＭおよびＤＣＭの境界条件が以下の数式で与えられる。
【００１１】
【数３】
2009526515.tif 000005
【００１２】
【数４】
2009526515.tif 000006
【００１３】
【数５】
2009526515.tif 000007
【００１４】
【数６】
2009526515.tif 000008
【００１５】
式中、 は磁気装置の充電フッラクス（charge flux）と放電フラックス（discharge flux）であり、Ｂはフラックス密度（flux density）、Ａは磁気装置の横断面積、Ｔは磁化期間、Ｎは磁気装置の巻数、ＴＣＨＡＲＧＥとＴＤＩＳＣＨＡＲＧＥは充電時間（磁化時間）と放電時間（消磁時間）である。
【００１６】
変圧器１０の放電時間（ＴＤＩＳＣＨＡＲＧＥ）は、等式７に従って得ることができる。
【００１７】
【数７】
2009526515.tif 000009
【００１８】
等式７は、放電時間ＴＤＩＳＣＨＡＲＧＥが電圧ＶＩＮと電圧ＶＯと充電時間ＴＣＨＡＲＧＥとに従って検知できることを示している。
【００１９】
図４は、この発明の好適な実施形態にかかる検知回路１００を示す回路図である。入力回路１０５が（変圧器１０のような）磁気装置に連結されて第１電圧Ｖ１および第２電圧Ｖ２を検知し、第１電圧Ｖ１および第２電圧Ｖ２に対応する第１信号Ｉ１と第２信号Ｉ２と充電時間信号ＶＳとを発生させる。第１電圧Ｖ１が磁気装置を充電するために印加される（電圧ＶＩＮのような）電圧である。第２電圧Ｖ２が磁気装置の放電期間に磁気装置上にある（電圧ＶＯのような）電圧である。従って、第１電圧Ｖ１が磁化電圧を表し、第２電圧Ｖ２が消磁電圧を表す。
【００２０】
制御回路１９５が入力回路１０５に連結されて、第１信号Ｉ１と第２信号Ｉ２と充電時間信号ＶＳとに対応する放電時間信号ＳＤを発生させる。第１信号Ｉ１が第１電圧Ｖ１と相関し、第２信号Ｉ２が第２電圧Ｖ２と相関する。充電時間信号ＶＳが第１電圧Ｖ１の使用可能期間と相関する。従って、放電時間信号ＳＤの期間が磁気装置の放電を表し、放電時間信号ＳＤの期間が第１信号Ｉ１の増大に対応して増大する。放電時間信号ＳＤの期間が充電時間信号ＶＳの減少に対応して減少する。更に、放電時間信号ＳＤの期間が第２電圧Ｖ２の増大に対応して減少する。
【００２１】
制御回路１９５がキャパシター１５０を含む。スイッチ１１０が第１信号Ｉ１とキャパシター１５０との間に連結される。スイッチ１２０が第２信号Ｉ２とキャパシター１５０との間に連結される。比較器（comparator）１６０がキャパシター１５０に連結されて、キャパシター１５０の電圧がいったん参考電圧ＶＺよりも高くなるとスイッチ信号を発生させる。スイッチ信号がＡＮＤゲート１７５の入力に接続される。ＡＮＤゲート１７５の他の入力は、インバーター１７２およびバッファー回路１７１を介して充電時間信号ＶＳに連結される。ＡＮＤゲート１７５が出力回路として操作されてスイッチ信号および充電時間信号ＶＳの使用禁止に対応する放電時間信号ＳＤを発生させる。スイッチ１１０が充電時間信号ＶＳの使用可能に応答してオンとなる。スイッチ１２０が放電時間信号ＳＤの使用可能に応答してオンとなる。かくして、第１信号Ｉ１がキャパシター１５０を充電するために使用されるとともに、第２信号Ｉ２がキャパシター１５０を放電するために使用される。
【００２２】
図５は、磁気装置の消磁時間を検知するための検知回路２００を有する電力変換器にかかる他の好適な実施形態を示す回路図である。検知回路２００は、インダクター（inductor）５０の電圧を検知するために連結される。スイッチ４５がオンになった時、ダイオード６０がオフとなる。この時、差動電圧（differential voltage）（ＶＩＮ−ＶＯ）が印加されてインダクター５０を充電する。いったんスイッチ４５がオフとなると、放電電流ＩＭがダイオード６０および負荷７０へ循環される。同時に、電圧ＶＯがインダクター５０へ加えられる。そして、図５に示した電力変換器のためのＣＣＭおよびＤＣＭの境界条件は、以下の数式で与えられる。
【００２３】
【数７ｂ】
2009526515.tif 000010
【００２４】
【数８】
2009526515.tif 000011
【００２５】
上記の等式８は、放電時間ＴＤＩＳＣＨＡＲＧＥが電圧ＶＩＮと電圧ＶＯと充電時間ＴＣＨＡＲＧＥとに従って検知できることを示している。
【００２６】
図６は、検知回路２００の好適な実施形態を示す回路図である。少なくとも１つの接地ノードが図６の検知回路２００中に示されている。入力回路２０５が磁気装置（インダクター５０）に連結されて、第１電圧ノードＶ１の第１電圧Ｖ１および第２電圧ノードＶ２の第２電圧Ｖ２を検知し、第１電圧Ｖ１および第２電圧Ｖ２に対応する第１信号Ｉ１、第２信号Ｉ２、第３信号Ｉ３および充電時間信号ＶＳを発生させる。制御回路２９５が入力回路２０５に連結されて、第１信号Ｉ１、第２信号Ｉ２、第３信号Ｉ３および充電時間信号ＶＳに対応する放電時間信号ＳＤを発生させる。第３信号Ｉ３が第２電圧Ｖ２と相関する。制御回路２９５がキャパシター２５０を含む。第１信号Ｉ１と第３信号Ｉ３とが直列に接続される。スイッチ２１０が第１信号Ｉ１とおよび第３信号Ｉ３に連結される。スイッチ２１０が更にキャパシター２５０に連結される。スイッチ２２０が第２信号Ｉ２およびキャパシター２５０間に接続される。比較器２６０がキャパシター２５０に連結されて、いったんキャパシター２５０の電圧が参考電圧ＶＺよりも高くなれば、使用可能信号（enable signal）を発生させる。使用可能信号がＡＮＤゲート２７５の入力に接続される。ＡＮＤゲート２７５の他の入力がインバーター２７２およびバッファー回路２７１を介して充電時間信号ＶＳに連結される。ＡＮＤゲート２７５が出力回路として操作されて、使用可能信号および充電時間信号ＶＳの使用禁止に対応する放電時間信号ＳＤを発生させる。スイッチ２１０が充電時間信号ＶＳの使用可能に応答してオンとなる。スイッチ２２０が放電時間信号ＳＤの使用可能に応答しオンとなる。第１信号Ｉ１が第３信号Ｉ３を引き算しキャパシター２５０を充電するための差動信号（differential signal）を発生させる。第２信号Ｉ２がキャパシター２５０を放電するために連結される。
【００２７】
図７は、入力回路の好適な実施形態を示す回路図である。それが第１回路および第２回路を含む。第１抵抗デバイス３５０が連結されて第１信号Ｉ１を検知し、第１電流を発生させる。多数のトランジスター３６０，３６１，３７１，３７２，３７３および電流源３８０が第１回路を形成する。トランジスター３６０が第１抵抗デバイス３５０に連結されて電流Ｉ３５０を受信する。電流Ｉ３５０に従って、トランジスター３６１がトランジスター３７１に連結された電流Ｉ３６１を鏡面反射（mirror）する。トランジスター３７２が電流Ｉ３６１に応じて電流Ｉ３７２を鏡面反射する。また、トランジスター３７３が電流Ｉ３６１に従って第１信号Ｉ１を発生させる。電流Ｉ３７２が電流源３８０の電流より高い時、電流Ｉ３７２が電流源３８０に接続されて、充電時間信号ＶＳを発生させる。従って、第１信号Ｉ１が第１電圧Ｖ１と相関する。充電時間信号ＶＳが第１電圧Ｖ１の使用可能期間を表す。
【００２８】
演算増幅器（operational amplifier）３２０、複数の抵抗デバイス３１０，３１１，３２１および複数のトランジスター３２３，３２４，３２５，３２６，３２７，３２８が第２回路を形成する。抵抗デバイス３１０，３１１が連結されて第２電圧Ｖ２を検知する。演算増幅器３２０の入力が抵抗デバイス３１０，３１１に接続される。演算増幅器３２０、抵抗デバイス３２１およびトランジスター３２３がコンバーターを形成して第２電圧Ｖ２に対応する電流Ｉ３２３を発生させる。トランジスター３２４が連結されて電流Ｉ３２３を受信するとともに、トランジスター３２５において電流Ｉ３２５を鏡面反射する。トランジスター３２６，３２７，３２８が電流鏡面（current mirror）を形成して、電流Ｉ３２５に従って第２信号Ｉ２および第３信号Ｉ３を発生させる。従って、第２信号Ｉ２および第３信号Ｉ３が第２電圧Ｖ２と相関する。
【００２９】
第１電圧Ｖ１および第２電圧Ｖ２が図６中のキャパシター２５０の充電電流ＩＣを決定する。充電電流ＩＣが数式９で表現できる。
【００３０】
【数９】
2009526515.tif 000012
【００３１】
第２電圧Ｖ２がキャパシター２５０の放電電流ＩＤを決定する。それを数式１０に示す。
【００３２】
【数１０】
2009526515.tif 000013
【００３３】
キャパシター２５０上の電圧を数式１１で表現できる。
【００３４】
【数１１】
2009526515.tif 000014
【００３５】
式中、ｋ１，ｋ２，ｋ３は、抵抗デバイスの比率（ratio）および／または電流鏡面の利得（gain）のような定数、Ｃはキャパシター２５０の電気容量、ＴＯＮはキャパシター２５０の充電時間。
ｋ１／Ｒ３５０，ｋ３／Ｒ３２１，ｋ２／Ｒ３２１の値を１／Ｒとして選択することにより等式１１を数式１２に書き換えることができる。
【００３６】
【数１２】
2009526515.tif 000015
【００３７】
キャパシター２５０の放電時間ＴＯＦＦが数式１３により与えられる。
【００３８】
【数１３】
2009526515.tif 000016
【００３９】
等式１２，１３に従って、キャパシター２５０の放電時間ＴＯＦＦがインダクター５０の放電時間ＴＤＩＳＣＨＡＲＧＥとして使用できる。
【００４０】
【数１４】
2009526515.tif 000017
【００４１】
【数１５】
2009526515.tif 000018
【００４２】
式中、第１電圧Ｖ１が電圧ＶＩＮと相関し、そして、第２電圧Ｖ２が電圧ＶＯと相関する。
【００４３】
従って、放電時間信号ＳＤの使用可能期間が磁化電圧および磁化期間の増大に対応して増大する。更に、放電時間信号ＳＤの使用可能期間が磁化電圧の増大に対応して減少する。
【００４４】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００４５】
【図１】非連続電流モード（discontinuous current mode = DCM）操作の磁気装置のスイッチ電流を示す説明図である。
【図２】連続電流モード（continuous current mode = CCM）操作の磁気装置のスイッチ電流を示す説明図である。
【図３】この発明の好適な実施形態にかかる磁気装置の放電時間を検知する検知回路を有する電力変換器を示す回路図である。
【図４】この発明の実施形態にかかる検知回路の好適な実施例を示す回路図である。
【図５】この発明の別な実施形態にかかる磁気装置の放電時間を検知する検知回路を有する電力変換器を示す回路図である。
【図６】この発明の別な実施形態にかかる検知回路の好適な実施例を示す回路図である。
【図７】この発明の好適な実施形態にかかる入力回路を示す回路図である。
【符号の説明】
【００４６】
１０  変圧器
１５  スイッチ
２０  ダイオード
３０  負荷
４５  スイッチ
５０  インダクター
６０  ダイオード
７０  負荷
１００  検知回路
１０５  入力回路
１１０  スイッチ
１２０  スイッチ
１５０  キャパシター
１６０  比較器
１７１  バッファー回路
１７２  インバーター
１７５  ＡＮＤゲート
１９５  制御回路
２００  検知回路
２０５  入力回路
２１０  スイッチ
２２０  スイッチ
２５０  キャパシター
２６０  比較器
２７１  バッファー回路
２７２  インバーター
２７５  ＡＮＤゲート
２９５  制御回路
３１０  抵抗デバイス
３１１  抵抗デバイス
３２０  演算増幅器
３２１  抵抗デバイス
３２３  トランジスター
３２４  トランジスター
３２５  トランジスター
３２６  トランジスター
３２７  トランジスター
３２８  トランジスター
３５０  第１抵抗デバイス
３６０  トランジスター
３６１  トランジスター
３７１  トランジスター
３７２  トランジスター
３７３  トランジスター
３８０  電流源
Ｖ１  第１電圧ノード
Ｖ２  第２電圧ノード
ＧＮＤ  接地ノード
ＶＥ  電圧源
ＶＩＮ  電圧
ＶＯ  電圧
Ｎ１  第１ノード
Ｎ２  第２ノード
ＩＭ  放電電流
【図１】
2009526515.tif 000019
【図２】
2009526515.tif 000020
【図３】
2009526515.tif 000021
【図４】
2009526515.tif 000022
【図５】
2009526515.tif 000023
【図６】
2009526515.tif 000024
【図７】
2009526515.tif 000025
【国際調査報告】
2009526515.tif 000026
2009526515.tif 000027